(57)【要約】【課題】  ケーソン壁の前面に配置された消波ブロックの撤去や、上部コンクリートの撤去作業及び中詰材の抜き取り作業が必要ではなく、低コストで消波ブロック被覆式のケーソン式防波堤及び護岸に対して耐衝撃補強を行うことが可能な既設ケーソンの耐衝撃補強方法及び耐衝撃補強構造を提供する。【解決手段】  既設ケーソン１３の外側面を構成する鉄筋コンクリート壁（ケーソン壁１５）の上方から、当該鉄筋コンクリート壁（ケーソン壁１５）の内部下方へ向かって補強部材挿入孔８０を穿孔する工程（ｂ）と、補強部材挿入孔８０内に、曲げ変形を抑制すると共に押し抜きせん断破壊に対する耐力を向上させるため補強部材１００を挿入する工程（ｄ）と、補強部材挿入孔８０内に充填材（１２０）を充填する工程（ｅ，ｆ）と、を含む。【選択図】  図１
2010275757.tif 000002
【特許請求の範囲】
【請求項１】
消波ブロック被覆式のケーソン式防波堤及び護岸に対して耐衝撃補強を行うための方法であって、
既設ケーソンの外側面を構成する鉄筋コンクリート壁の上方から、当該鉄筋コンクリート壁の内部下方へ向かって補強部材挿入孔を穿孔する工程と、
前記補強部材挿入孔内に、曲げ変形を抑制すると共に押し抜きせん断破壊に対する耐力を向上させるための補強部材を挿入する工程と、
前記補強部材挿入孔内に充填材を充填する工程と、
を含むことを特徴とする既設ケーソンの耐衝撃補強方法。
【請求項２】
前記補強部材挿入孔の内壁面に目粗し処理を施す工程を含むことを特徴とする請求項１に記載の既設ケーソンの耐衝撃補強方法。
【請求項３】
消波ブロック被覆式のケーソン式防波堤及び護岸に対する耐衝撃補強構造であって、
既設ケーソンの外側面を構成する鉄筋コンクリート壁の上方から、当該鉄筋コンクリート壁の内部下方へ向かって穿孔された補強部材挿入孔と、
前記補強部材挿入孔内に挿入して、曲げ変形を抑制すると共に押し抜きせん断破壊に対する耐力を向上させるための補強部材と、
前記補強部材挿入孔内に充填された充填材と、
を備えたことを特徴とする既設ケーソンの耐衝撃補強構造。
【発明の詳細な説明】
【技術分野】
【０００１】
本発明は、消波ブロック被覆式のケーソン式防波堤や護岸に対して耐衝撃補強を行うための既設ケーソンの耐衝撃補強方法及び耐衝撃補強構造に関するものである。
【背景技術】
【０００２】
消波ブロック被覆式のケーソン式防波堤や護岸においては、高波浪時に波の力により消波ブロックが移動し、ケーソン壁に衝突して、ひび割れや穴あきなどが発生する損傷事例が多数報告されている。一般的なケーソン式防波堤における被災状況の一例を図９に示す。図９は、消波ブロックがケーソンへ衝突する様子を示す模式図である。
【０００３】
一般的な消波ブロック被覆式のケーソン式防波堤は、海底に敷設したマウンド２０の上に防波堤本体１０を構築し、防波堤本体１０の波が衝突する側（例えば外洋側）に消波ブロック５０を積み上げた構造となっている。この防波堤本体１０は、海底に敷設したマウンド２０の上にケーソン１３を設置すると共に、ケーソン１３の内部に砂等の中詰材１４を充填し、ケーソン１３の上部に蓋コンクリート１２と上部コンクリート１１を打設して構築されている（図２参照）。
【０００４】
このようなケーソン式防波堤では、台風等の影響で高波浪が発生すると、図９に示すように、波浪のエネルギーにより消波ブロック５０が移動して防波堤本体１０に衝突し、ケーソン壁１５に穴があくおそれがある。そして、ケーソン壁１５に穴があくと、ケーソン１３内に充填した中詰材（図示せず）が流出してケーソン１３の重量を減少させるため、防波堤滑動に対する安定性を低下させてしまう。
【０００５】
既設のケーソン１３の耐衝撃性を向上させるための方法として、以下に説明する２つの方法が考えられる。図１０は、従来の耐衝撃補強方法の第１の例を示す模式図、図１１は、従来の耐衝撃補強方法の第２の例を示す模式図である。
【０００６】
第１の耐衝撃補強方法は、図１０に示すように、ケーソン壁１５の外側に設置された消波ブロック５０を一時的に撤去し、ケーソン壁１５のコンクリート厚さが増すようにコンクリートを打ち足したり、あるいはケーソン壁１５の前面に緩衝材や鋼板を取り付けたりして補強壁２００を形成するものである。
【０００７】
第２の耐衝撃補強方法は、図１１に示すように、ケーソン１３の上部に打設した上部コンクリート１１を一時的に撤去すると共に中詰材１４を抜き取り、中詰材１４をコンクリート２２０に置き換えたり、あるいはケーソン壁１５の内面に鉄板２１０を取り付けたりするものである。
【０００８】
また、従来、一般的な鉄筋コンクリート構造物に対するせん断補強方法が種々提案されている（特許文献１参照）。特許文献１に記載された技術は、補強すべき鉄筋コンクリート構造物の所定箇所に所定深さの孔を穿孔し、当該孔内に棒状の補強部材を装入した後に、自己硬化型充填材を充填するようにしたものである。
【先行技術文献】
【特許文献】
【０００９】
【特許文献１】特開２００２−２７５９２７号公報
【発明の概要】
【発明が解決しようとする課題】
【００１０】
しかし、上述した従来の方法では種々の不都合が生じるおそれがある。すなわち、従来の耐衝撃補強方法の第１の例では、消波ブロック５０の撤去作業が必要であり、コストが上昇する。また、消波ブロック５０が撤去されている期間は、防波堤が波浪に対して不安定な状態となる。さらに、消波ブロック５０は、長期間の波浪による沈下や消波ブロック５０同士の噛み合いによって安定した状態となるが、消波ブロック５０を再度設置し直すことにより、せっかく安定した状態となっていた消波ブロック５０が初期の不安定な状態に戻ってしまう。
【００１１】
また、従来の耐衝撃補強方法の第２の例では、上部コンクリート１１及び蓋コンクリート１２の撤去工事と、中詰材１４の抜き取り工事が必要であり、コストが上昇する。また、上部コンクリート１１が撤去されると共に中詰材１４が抜き取られている期間は、防波堤が波浪に対して不安定な状態となる。
【００１２】
なお、特許文献１に記載された技術は、鉄筋コンクリート基礎のような構造物において、既設構造がせん断破壊に対して十分な安全を確保できない場合に、鉄筋量を増加することによって、せん断耐力のみを向上させるものである。したがって、本発明のように、壁状の鉄筋コンクリート構造物において、曲げ変形を抑制すると共に押し抜きせん断破壊に対する耐力を向上させることはできない。また、特許文献１に記載された技術の対象となる基礎コンクリート内部には、通常、柱部材の鉄筋が定着されていたり、あるいは新設時に設置されたせん断補強鉄筋が存在したりするため、横方向から補強部材を挿入することは現実的ではない。さらに、自己硬化型充填材を流し込むことを考えると、対象構造物を横方向に補強することは考えられない。
【００１３】
また、一般的な壁構造物の上部には、鉄筋コンクリートの上部構造が存在し、あるいは壁自体の鉄筋にせん断補強鉄筋が配置されており、補強工事を行うことは困難である。また、水路や半地下の道路のような構造物の壁部では、上部コンクリートが存在しない場合もあるが、このような構造物ではそもそも耐衝撃補強の必要がない。一方、ケーソン壁は、その上部に上部コンクリートが存在するが、通常は無筋コンクリートが使用されるため、穿孔に対する制約がない。さらに、ケーソン壁には、せん断補強鉄筋が配置されていないのが一般的であり、ケーソン壁内に補強部材を挿入することが可能である。
【００１４】
本発明は、上述した事情に鑑み提案されたもので、ケーソン壁の前面に配置された消波ブロックの撤去や、上部コンクリートの撤去作業及び中詰材の抜き取り作業が必要ではなく、低コストで消波ブロック被覆式のケーソン式防波堤や護岸に対して耐衝撃補強を行うことが可能な既設ケーソンの耐衝撃補強方法及び耐衝撃補強構造を提供することを目的とする。
【課題を解決するための手段】
【００１５】
本発明の既設ケーソンの耐衝撃補強方法及び耐衝撃補強構造は、上述した目的を達成するため、以下の特徴点を有している。
すなわち、本発明の既設ケーソンの耐衝撃補強方法は、消波ブロック被覆式のケーソン式防波堤及び護岸に対して耐衝撃補強を行うための方法であって、既設ケーソンの外側面を構成する鉄筋コンクリート壁（ケーソン壁）の上方から、当該鉄筋コンクリート壁（ケーソン壁）の内部下方へ向かって補強部材挿入孔を穿孔する工程と、補強部材挿入孔内に、曲げ変形を抑制すると共に押し抜きせん断破壊に対する耐力を向上させるための補強部材を挿入する工程と、補強部材挿入孔内に充填材を充填する工程と、を含むことを特徴とするものである。
【００１６】
また、補強部材挿入孔を穿孔した後に、当該補強部材挿入孔の内壁面に目粗し処理を施す工程を含むことが好ましい。
【００１７】
本発明の既設ケーソンの耐衝撃補強構造は、消波ブロック被覆式のケーソン式防波堤及び護岸に対する耐衝撃補強構造であって、既設ケーソンの外側面を構成する鉄筋コンクリート壁（ケーソン壁）の上方から、当該鉄筋コンクリート壁（ケーソン壁）の内部下方へ向かって穿孔された補強部材挿入孔と、補強部材挿入孔内に挿入して、曲げ変形を抑制すると共に押し抜きせん断破壊に対する耐力を向上させるための補強部材と、補強部材挿入孔内に充填された充填材と、を備えたことを特徴とするものである。
【発明の効果】
【００１８】
本発明の既設ケーソンの耐衝撃補強方法及び耐衝撃補強構造によれば、消波ブロックの移動や中詰材の抜き取り等を行うことなく、既設ケーソンの外側面を構成する鉄筋コンクリート壁（ケーソン壁）の上方から、当該鉄筋コンクリート壁（ケーソン壁）の内部下方へ向かって補強部材挿入孔を穿孔し、この補強部材挿入孔内に補強部材を挿入すると共に、充填材を充填することにより、低コストで、曲げ変形を抑制すると共に押し抜きせん断破壊に対する耐力を向上させることができる。さらに、消波ブロックを移動させないので、消波ブロックの安定状態を乱すことがなく、防波堤や護岸が波浪に対して安定な状態のままで耐衝撃補強工事を行うことができる。
【００１９】
また、補強部材挿入孔内に目粗し処理を施すことにより、補強部材の付着力がより一層強固なものとなる。
【図面の簡単な説明】
【００２０】
【図１】本発明の実施形態に係る既設ケーソンの耐衝撃補強方法の手順を示す模式図。
【図２】本発明の実施形態に係る既設ケーソンの耐衝撃補強方法及び耐衝撃補強構造を適用する消波ブロック被覆式のケーソン式防波堤の模式図。
【図３】ケーソン壁の構造の一部を示す模式図。
【図４】既設ケーソンの耐衝撃補強構造の具体例を示す横断面模式図（施工前）。
【図５】既設ケーソンの耐衝撃補強構造の具体例を示す横断面模式図（第１の実施形態）。
【図６】既設ケーソンの耐衝撃補強構造の具体例を示す横断面模式図（第２の実施形態）。
【図７】既設ケーソンの耐衝撃補強構造の具体例を示す横断面模式図（第３の実施形態）。
【図８】既設ケーソンの耐衝撃補強構造の具体例を示す横断面模式図（第４の実施形態）。
【図９】消波ブロックがケーソンへ衝突する様子を示す模式図。
【図１０】従来の耐衝撃補強方法の第１の例を示す模式図。
【図１１】従来の耐衝撃補強方法の第２の例を示す模式図。
【発明を実施するための形態】
【００２１】
＜耐衝撃補強方法及び耐衝撃補強構造の概要＞
以下、図面を参照して、本発明に係る既設ケーソンの耐衝撃補強方法及び耐衝撃補強構造の実施形態を説明する。図１は、本発明の実施形態に係る既設ケーソンの耐衝撃補強方法の手順を示す模式図である。また、図２は、本発明の実施形態に係る既設ケーソンの耐衝撃補強方法及び耐衝撃補強構造を適用する消波ブロック被覆式のケーソン式防波堤の模式図、図３は、ケーソン壁の構造の一部を示す模式図である。なお、図３（ａ）はケーソン壁の横断面模式図、図３（ｂ）はケーソン壁の縦断面模式図、図３（ｃ）はケーソン壁の側断面模式図をそれぞれ示す。
【００２２】
本発明の実施形態に係る既設ケーソンの耐衝撃補強方法及び耐衝撃補強構造は、消波ブロック被覆式のケーソン式防波堤や護岸に対して耐衝撃補強を行うためのものであり、特に、曲げ変形を抑制すると共に押し抜きせん断破壊に対する耐力を向上させることができるようになっている。なお、以下の実施形態では、ケーソン式防波堤について説明するが、本発明は消波ブロック被覆式のケーソン式護岸に適用できるのは勿論である。
【００２３】
＜消波ブロック被覆式のケーソン式防波堤＞
本発明の実施形態に係る既設ケーソンの耐衝撃補強方法及び耐衝撃補強構造を適用する消波ブロック被覆式のケーソン式防波堤は、図２に示すように、海底に敷設したマウンド２０の上に防波堤本体１０を構築し、防波堤本体１０の波が衝突する側（例えば外洋側）に消波ブロック５０を積み上げた構造となっている。この防波堤本体１０は、海底に敷設したマウンド２０の上に被覆石３０を敷設し、この被覆石３０上にケーソン１３を設置すると共に、ケーソン１３の内部に砂等の中詰材１４を充填し、ケーソン１３の上部に蓋コンクリート１２と上部コンクリート１１を打設して構築される。また、ケーソン１３の下端部側面には、根固ブロック４０が設置されている。ケーソン１３は、鉄筋コンクリート製のケーソン壁１５を外殻体として、この外殻体の内部に中詰材１４が充填されている。
【００２４】
＜耐衝撃補強方法の手順＞
ここで、前面側のケーソン壁１５の構造は、２つの隔壁の間を考えると、鉛直方向に長い面部材と考えることができる。そして、破壊モードとしては、短辺方向の曲げ破壊、長辺方向の曲げ破壊、押し抜きせん断破壊の３つを想定することができる。これらの破壊モードの中で、消波ブロック５０におけるケーソン壁１５の穴あきは、特に、押し抜きせん断破壊が大きな影響を与えていると考えることができる。そこで、本発明の実施形態に係る既設ケーソンの耐衝撃補強方法では、図３に示すように、曲げ変形を抑制すると共に押し抜きせん断破壊に対する耐力を向上させることを目的として、ケーソン壁１５において、鉄筋で囲まれた内部に補強部材を埋め込んでいる。
【００２５】
すなわち、ケーソン壁１５の内部には、図３（ａ）〜（ｃ）に示すように、消波ブロック５０に対向する前面側と、消波ブロック５０とは他側となる背面側に鉄筋６０が配筋されている。なお、鉄筋６０は、主鉄筋と、主鉄筋と略直交する配力筋とからなる。このような構造からなるケーソン壁１５は、前面側に配筋された鉄筋６０と背面側に配筋された鉄筋６０との間に、鉄筋６０が配筋されていない領域が存在し、この領域に補強部材を埋め込むことにより、曲げ変形を抑制すると共に押し抜きせん断破壊に対する耐力を向上させることができる。
【００２６】
本実施形態に係る既設ケーソンの耐衝撃補強方法は、図１において（ａ）〜（ｆ）に示す手順で行われる。耐衝撃補強を実施する前のケーソン１３に対して、波浪のエネルギーにより消波ブロック５０が移動して防波堤本体１０に衝突すると、ケーソン壁１５に穴があくおそれがある（図１（ａ）参照）。そこで、まず、コンクリートコアカッターやクローラドリル等の穿孔装置７０を用いて、上部コンクリート１１の上方からケーソン壁１５の内部下方へ向かって補強部材挿入孔８０を穿孔する（図１（ｂ））。続いて、ロッド９０の先端に目粗しビット（図示せず）を取り付けて、ロッド９０を回転させることにより、補強部材挿入孔８０の内面に目粗し処理を施す（図１（ｃ））。なお、補強部材挿入孔８０の内部に挿入する補強部材１００の形状及び性状によっては、目粗し処理を省略することができる。
【００２７】
そして、補強部材挿入孔８０の上部から、補強部材挿入孔８０の補強部材埋込領域（図３参照）に補強部材１００を挿入する（図１（ｄ））。続いて、補強部材挿入孔８０の上部に充填ノズル１１０を挿入し（図１（ｅ））、補強部材挿入孔８０の空隙部に充填材１２０を充填する（図１（ｆ））。なお、充填材１２０は自己硬化型のものを用いることが好ましく、例えば無収縮モルタルが用いられる。
【００２８】
＜耐衝撃補強構造＞
次に、本発明の実施形態に係る既設ケーソンの耐衝撃補強構造の具体的構成について説明する。図４〜図８は、既設ケーソンの耐衝撃補強構造の具体例を示す横断面模式図である。なお、図４〜図８は、消波ブロック側に位置するケーソン壁を示すものである。
【００２９】
本発明の実施形態に係る既設ケーソンの耐衝撃補強構造は、上述した手順により構築されるが、使用する補強部材１００に合わせて穿孔の直径や深さ、位置等が異なっている。以下、使用する補強部材１００毎に、本発明の実施形態に係る既設ケーソンの耐衝撃補強構造を説明する。
【００３０】
図４は、耐衝撃補強を行う前のケーソン壁の横断面模式図である。耐衝撃補強を行う前のケーソン壁１５の内部には、図４に示すように、対向する両壁面側に鉄筋６０が配筋されている。図４に示す例では、ケーソン壁１５の長手方向及び縦方向に複数の鉄筋６０が配筋されている。
【００３１】
＜第１の実施形態＞
第１の実施形態に係る耐衝撃補強構造は、補強部材として略鉛直方向に複数の鉄筋１３０ａを配筋したものである。すなわち、第１の実施形態に係る耐衝撃補強構造では、図５に示すように、所定間隔でケーソン壁１５の上部から下方へ向かって補強部材挿入孔８０を穿孔し、各補強部材挿入孔８０内にそれぞれ鉄筋１３０ａを挿入し、補強部材挿入孔８０の空隙部に充填材（図示せず）を充填する。
【００３２】
＜第２の実施形態＞
第２の実施形態に係る耐衝撃補強構造は、補強部材として略鉛直方向に複数のＨ型鋼１３０ｂを挿入したものである。すなわち、第２の実施形態に係る耐衝撃補強構造では、図６に示すように、所定間隔でケーソン壁１５の上部から下方へ向かって補強部材挿入孔８０を穿孔し、各補強部材挿入孔８０内にそれぞれＨ型鋼１３０ｂを挿入し、補強部材挿入孔８０の空隙部に充填材（図示せず）を充填する。なお、定着力を高めるために、フランジ外面やウェブ両面に複数の突起を有する突起付Ｈ型鋼を用いることが好ましい。また、Ｈ型鋼１３０ｂだけではなく、等辺山形鋼や溝形鋼等の各種形鋼を補強部材として使用してもよい。
【００３３】
＜第３の実施形態＞
第３の実施形態に係る耐衝撃補強構造は、補強部材として略鉛直方向及び略水平方向に配筋した網目状の鉄筋１３０ｃを複数配筋したものである。すなわち、第３の実施形態に係る耐衝撃補強構造では、図７に示すように、所定間隔でケーソン壁１５の上部から下方へ向かって補強部材挿入孔８０を穿孔する。この際、隣り合う補強部材挿入孔８０が互いに重複するようにして、全体として横一連の補強部材挿入孔８０を形成する。そして、直交する２方向に鉄筋６０を配筋した網目状の鉄筋１３０ｃを補強部材挿入孔８０内へ挿入し、補強部材挿入孔８０の空隙部に充填材（図示せず）を充填する。
【００３４】
＜第４の実施形態＞
第４の実施形態に係る耐衝撃補強構造は、補強部材として繊維補強シート１３０ｄを挿入したものである。すなわち、第４の実施形態に係る耐衝撃補強構造では、図８に示すように、所定間隔でケーソン壁１５の上部から下方へ向かって補強部材挿入孔８０を穿孔する。この際、隣り合う補強部材挿入孔８０が互いに重複するようにして、全体として横一連となる補強部材挿入孔８０を形成する。そして、補強部材挿入孔８０内に繊維補強シート１３０ｄを挿入し、補強部材挿入孔８０の空隙部に充填材（図示せず）を充填する。なお、繊維補強シート１３０ｄとしては、炭素繊維シート、アラミド繊維シート等を使用することができる。
【符号の説明】
【００３５】
１０  防波堤本体
１１  上部コンクリート
１２  蓋コンクリート
１３  ケーソン
１４  中詰材
１５  ケーソン壁
２０  マウンド
３０  被覆石
４０  根固ブロック
５０  消波ブロック
６０  鉄筋
７０  穿孔装置
８０  補強部材挿入孔
９０  ロッド
１００  補強部材
１１０  充填ノズル
１２０  充填材
１３０ａ  鉄筋
１３０ｂ  Ｈ型鋼
１３０ｃ  網目状の鉄筋
１３０ｄ  繊維補強シート
２００  補強壁
２１０  鉄板
２２０  コンクリート
【図１】
2010275757.tif 000003
【図２】
2010275757.tif 000004
【図３】
2010275757.tif 000005
【図４】
2010275757.tif 000006
【図５】
2010275757.tif 000007
【図６】
2010275757.tif 000008
【図７】
2010275757.tif 000009
【図８】
2010275757.tif 000010
【図９】
2010275757.tif 000011
【図１０】
2010275757.tif 000012
【図１１】
2010275757.tif 000013